(57)【要約】　　　（修正有）【課題】横向きに寝たり、寝返りを打ったりした際に、硬いファスナーが腰骨や太股等に当たることがなく、さらに、清拭や処置、診察等の際に胸部から上側の上半身だけでなく、胸部から下側の腹部全体も簡単にはだけて開けることができる介護用衣服を提供する。【解決手段】ズボン２１の上端部から少なくとも膝付近まで、左右それぞれファスナー２２にて開閉可能とするとともに、該ファスナー２２の取り付け位置を脇からずれた前部中心寄りとした。また、上着の首の付け根から肩部を通って少なくとも肘付近まで、左右それぞれファスナーにて開閉可能に形成するとともに、脇下付近から裾下端部まで、両脇ともファスナーにて開閉自在とした。【選択図】　　　図２
0003096904.tif 000002
【実用新案登録請求の範囲】
【請求項１】
介護を受ける患者等が着用する介護用上着であって、首の付け根から肩部を通って少なくとも肘付近まで左右それぞれファスナーにて開閉可能に形成するとともに、脇下付近から裾下端部まで両脇ともファスナーにて開閉自在としたことを特徴とする介護用上着。
【請求項２】
介護を受ける患者等が着用する介護用ズボンであって、ズボン上端部から少なくとも膝付近まで左右それぞれファスナーにて開閉可能に形成するとともに、該左右のファスナーの取り付け位置を脇からずれた前部中心寄りとしたことを特徴とする介護用ズボン。
【請求項３】
請求項２記載の介護用ズボンにおいて、臀部内側に、少なくとも防水性に優れた繊維からなるあて布を裏布として取り付けたことを特徴とする介護用ズボン。
【請求項４】
請求項１記載の介護用上着と、請求項２または３記載の介護用ズボンとを上下一対として組み合わせたことを特徴とする介護用衣服。
【考案の詳細な説明】
【０００１】
【考案の属する技術分野】
本考案は、病院等で用いられる介護用上着と介護用ズボン及びこれらを組み合わせた介護用衣服に関するものである。
【０００２】
【従来の技術】
従来、病院等で使われている介護用衣服としては、前開きボタン付きの上着とズボンを組み合わせたもの、甚平型上着とズボンを組み合わせたもの、上下一体のつなぎタイプでファスナーで開閉できるようにしたものなどが知られている（特許文献１参照）。しかしながら、この従来の介護用衣服の場合、次のような問題があった。
【０００３】
（１）四肢に麻痺や拘縮のある患者、寝たきりの患者等の場合、着脱が不便である。
（２）寝たきりの患者、睡眠中の患者の場合、オムツ交換が不便であり、患者、介護者ともに大きな負担となっている。
（３）着脱に手間がかかるため、着脱に全介護を必要としない患者には不便であり、患者の快復意欲を損なう。
（４）介護を必要としている患者は身体機能が悪化している場合が多く、通常では骨折することのない着脱時の身体の曲げ伸ばし程度でも骨折する恐れがある。
【０００４】
上記問題を解決するため、上着は両肩開きとしてファスナーで開閉可能とするとともに、ズボンは両脇開きとしてファスナーで開閉可能とした介護用パジャマ、さらには、上着は両肩開きとしてファスナーで開閉可能とするとともに、上着丈を股部を包むように延ばし、後身頃は股をくぐらせてて前身頃の恥骨部上で止めるように構成することにより、上着パンツ一体型とし、ズボンは両脇開きとしてファスナーで開閉可能とした介護用パジャマが提案されている（同じく特許文献１参照）。
【０００５】
【特許文献１】
特開平１０−１２１３０８号公報（全頁、全図）
【０００６】
【考案が解決しようとする課題】
上記特許文献１で提案された介護用パジャマは、着脱時における患者及び介護者の負担を軽減でき、また医療行為時の処理時間の短縮も可能となり、有用なものである。しかしながら、この介護用パジャマにも次のような問題が残されていた。
【０００７】
すなわち、上着は両肩開きとしてファスナーで開閉可能とされてため、胸部から上側を諸肌脱ぎしたり、片肌脱ぎしたりするには適しているが、清拭や処置、診察等の際、寝たままの状態で胸部から下側の腹部全体をはだけて開けようとすると、上着の後面（後身頃）が患者の背中でベッドに挟み付けられ、しかも上着の裾脇には１０ｃｍ程度の切り込みが設けられているだけであるため、上着の裾前をたぐるようにしてまくり上げるしかなく、胸部から下側の腹部全体を簡単にはだけて開けることが難しかった。
【０００８】
また、ズボンは両脇開きとしてファスナーで開閉可能とされているが、ファスナーがズボンの両脇に取り付けられているため、患者が横向きに寝たり、寝返りを打ったりした際に、硬いファスナーが腰骨や太股等に当たり、しかも患者自身の体重で強く押し付けられるため、痛みを伴ったり、床ずれの原因になるおそれがあった。
【０００９】
本考案は、上記のような問題を解決するためになされたもので、清拭や処置、診察等の際に、胸部から上側の上半身だけでなく、胸部から下側の腹部全体も簡単にはだけて開くことができ、さらに、横向きに寝たり、寝返りを打ったりした際に、硬いファスナーが腰骨や太股等に当たることのない介護用上着と介護用ズボン及びこれらを組み合わせた介護用衣服を提供することを目的とするものである。
【００１０】
【課題を解決するための手段】
上記目的を達成するため、本考案は次のような手段を採用した。
すなわち、本考案の介護用上着は、首の付け根から肩部を通って少なくとも肘付近まで左右それぞれファスナーにて開閉可能に形成するとともに、脇下付近から裾下端部まで両脇ともファスナーにて開閉自在とした脇下近傍から裾下端部まで両脇をファスナーにて開閉可能としたものである。このような構成とした場合、首部のファスナーを開くことにより、胸部から上側を簡単に諸肌脱ぎあるいは片肌脱ぎできるとともに、両脇のファスナーを開くことにより、上着の前部（前身頃）を持ち上げるだけで簡単に胸部から下側の腹部全体をはだけて開けることができる。
【００１１】
また、本考案の介護用ズボンは、ズボン上端部から少なくとも膝付近まで左右それぞれファスナーにて開閉可能とするとともに、該左右のファスナーの取り付け位置を脇からずれた前部中心寄りとしたものである。このような構成とした場合、患者が横向きに寝たり、寝返りを打ったりしても、硬いファスナーが身体の真下になって腰骨や太股等に当たるようなことがなくなり、痛みや床ずれをなくすことができる。なお、臀部内側には、少なくとも防水性に優れた繊維からなるあて布を裏布として取り付けることが好ましい。
【００１２】
また、本考案の介護用衣服は、上記した介護用上着と介護用ズボンとを上下一対として組み合わせたことを特徴とするもので、上記した介護用上着と介護用ズボンの利点を同時に満足させることができる。
【００１３】
【考案の実施の形態】
以下、本考案の実施の形態について図面を参照して説明する。
図１に、本考案に係る介護用上着の一実施の形態を示す。（ａ）は介護用上着の正面図、（ｂ）は介護用上着の背面図である。
【００１４】
図示例の介護用上着１１は、その全体を抗菌性、防臭性、通気性、耐久性に優れた繊維で構成されており、首の付け根から肩部を通って肘付近まで左右それぞれファスナー１２にて開閉可能とされているとともに、脇下付近から裾下端部まで両脇ともファスナー１３にて開閉自在とされている。また、襟１４は左右のファスナー１２の開き始め位置において前後２つに分割され、前側の襟両端を後側に延ばすことによって重ね布状とされており、この重ね布部分に一対の接着布（いわゆる「マジックテープ」（登録商標））１５ａ，１５ｂを取り付けることにより、ファスナー１２の開閉に合わせて襟１４も自由に開閉できるようにされている。なお、袖口１６にはゴムが通され、袖のめくり上がりを防止している。
【００１５】
上記介護用上着１１は、左右のファスナー１２と左右のマジックテープ１５ａ，１５ｂ、あるいは一方の側のファスナー１２と一方の側のマジックテープ１５ａ，１５ｂを開くことにより、胸から上側の上半身を簡単に諸肌脱ぎあるいは片肌脱ぎとすることができる。また、両脇のファスナー１３を開くことにより、後身頃１７部分が患者の身体とベッドの間に挟まったままの状態でも前身頃１８の全体を持ち上げることができ、胸部から下側の腹部全体を簡単にはだけて開けることができる。このため、患者が寝たままの状態でも腹部全体の清拭や処置、診察等を簡単に行うことができる。
【００１６】
なお、上記の例では、襟１４の分割部を接着布１５ａ，１５ｂによって留めるようにしたが、留め具はこの接着布に限られるものではなく、スナップボタン、ホックなど他の留め具を用いてもよいものである。また、襟１４の形状をスタンドカラーとしたが、襟の形状もこの形状に限られるものではなく、ロールカラー、ショールカラー等、他の形状としてもよいものである。場合によっては襟１４をなくし、丸首やＶネック、エアーカラーとしてもよい。また、ファスナー１２の終端を肘付近としたが、それよりも先まで、例えば袖口付近まで延ばしてもよいものである。ファスナー１２は、袖口１６から肘側に向かって付けてもよい。
【００１７】
図２に、本考案に係る介護用ズボンの一実施の形態を示す。（ａ）は介護用ズボンの正面図、（ｂ）は介護用ズボンの背面図である。
【００１８】
図示例の介護用ズボン２１は、その全体を抗菌性、防臭性、通気性、耐久性に優れた繊維で構成されており、ズボンの上端部から膝付近まで左右それぞれファスナー２２にて開閉可能とされている。そして、本考案の場合、この左右のファスナー２２の取り付け位置が、従来の看護用パジャマ（特許文献１参照）のようにズボンの両脇ではなく、ズボンの前部中心側に寄った位置、すなわち患者が横向きに寝たり、寝返りを打ったりしてもファスナー２２が身体の真下になって腰骨や太股等に当たることのない位置とされている。
【００１９】
また、ファスナー２２の開き始め位置には、一方の側に短冊状をした布片２３が取り付けられており、この布片２３の表面と、反対側のファスナーの開き始め位置裏面に一対の接着布２４ａ，２４ｂが取り付けられており、この接着布２４ａ，２４ｂによってウェスト２５の左右部分を自由に開閉できるように構成されている。さらに、臀部内側には、防水性、防臭性、抗菌性、耐久性に優れた繊維からなるあて布２６が裏布として取り付けられている。
【００２０】
ウェスト２５には腰ゴム２７が通され、ベルトなしでズボンをはけるようにしてある。図示例ではズボンの裾は解放とされているが、ズボンの裾にゴムを入れてもよい。裾にゴムを入れると、裾のめくり上がりを防止できるとともに、より保温性に優れたものとなる。
【００２１】
上記介護用ズボン２１は、ウェスト左右の接着布２４ａ，２４ｂとファスナー２２を開くことにより、ズボンの前側を膝の付近まで開けることができ、治療やオムツ代え等の介護処置を簡単に行うことができる。また、ウェスト左右のファスナー２２の取り付け位置がズボンの前部中心側に寄った位置とされているため、患者が横向きに寝たり、寝返りを打ったりしても、硬いファスナー２２が身体の真下になって腰骨や太股等に当たるようなことがなくなり、従来問題になっていた痛みや床ずれ等をなくすことができる。さらに、臀部内側には、防水性、防臭性、抗菌性、耐久性に優れた繊維からなるあて布２６が取り付けられているので、小水や汚物の漏れ等でベッドが濡れたり、汚れたりすることを防ぐことができる。
【００２２】
なお、上記の例ではファスナー２２の開き始め部分を接着布２４ａ，２４ｂによって留めるようにしたが、留め具はこの接着布に限られるものではなく、スナップボタン、ホック等、他の留め具を用いてもよいものである。また、ファスナー２２の終端を膝付近としたが、それよりも下側としてもよい。さらに、場合によってはファスナー２２の終端をズボンの裾先まで延ばし、介護用ズボン２１を前部分と後部分の２つに分離して外せるようにしてもよいものである。ファスナー２２は、ズボンの裾側から膝側に向けて取り付けてもよい。
【００２３】
上記した介護用上着１１と介護用ズボン２１はそれぞれ独立して販売・使用してもよいが、最も好ましくは両者を上下一対として組み合わせ、上着とズボンとが対になった介護用衣服として販売・使用することが望ましい。
【００２４】
【考案の効果】
以上説明したように、本考案の介護用上着は、首の付け根から肩部を通って少なくとも肘付近まで左右それぞれファスナーにて開閉可能に形成するとともに、脇下付近から裾下端部まで両脇ともファスナーにて開閉自在としたので、胸から上側の上半身だけでなく、胸から下側の腹部全体も簡単にはだけて開けることができ、介護等に用いて極めて有用である。
【００２５】
また、本考案の介護用ズボンは、ズボン上端部から少なくとも膝付近まで左右それぞれファスナーにて開閉可能とするとともに、該ファスナーの取り付け位置を脇からずれた前部中心寄りとしたので、患者が横向きに寝たり、寝返りを打ったりしても、硬いファスナーが身体の真下になって腰骨や太股等に当たるようなことがなくなり、痛みや床ずれをなくすことができ、介護等に用いて極めて有用である。
【００２６】
さらに、本考案の介護用衣服は、上記介護用上着と介護用ズボンとを上下一対として組み合わせたので、上記介護用上着と介護用ズボンの効果を同時に実現することができ、介護用衣服として極めて優れたものとなる。
【図面の簡単な説明】
【図１】本考案に係る介護用上着の実施の形態を示すもので、（ａ）はその正面図、（ｂ）はその背面図である。
【図２】本考案に係る介護用ズボンの実施の形態を示すもので、（ａ）はその正面図、（ｂ）はその背面図である。
【符号の説明】
１１　　介護用上着
１２　　ファスナー
１３　　ファスナー
１４　　襟
１５ａ，１５ｂ　　接着布
１６　　袖口
１７　　後身頃
１８　　前身頃
２１　　介護用ズボン
２２　　ファスナー
２３　　布片
２４ａ，２４ｂ　　接着布
２５　　ウェスト
２６　　あて布
２７　　腰ゴム
【図１】
0003096904.tif 000003
【図２】
0003096904.tif 000004
【手続補正書】
【提出日】平成15年4月30日(2003.4.30)
【手続補正１】
【補正対象書類名】明細書
【補正対象項目名】全文
【補正方法】変更
【補正の内容】
【考案の詳細な説明】
【実用新案登録請求の範囲】
【請求項１】上着とズボンとからなり、前記ズボンは、ズボン上端部から少なくとも膝付近まで、左右それぞれファスナーにて開閉可能に形成するとともに、該左右のファスナーの取り付け位置を脇からずれた前部中心寄りとしたことを特徴とする介護用衣服。
【請求項２】請求項１記載の介護用衣服において、前記上着は、首の付け根から肩部を通って少なくとも肘付近まで、左右それぞれファスナーにて開閉可能に形成するとともに、脇下付近から裾下端部まで、両脇ともファスナーにて開閉自在としたことを特徴とする介護用衣服。
【請求項３】請求項１または２記載の介護用衣服において、ズボンの臀部内側に、少なくとも防水性に優れた繊維からなるあて布を裏布として取り付けたことを特徴とする介護用衣服。
【考案の詳細な説明】
【０００１】
【考案の属する技術分野】
本考案は、病院等で用いられる介護用衣服に関するものである。
【０００２】
【従来の技術】
従来、病院等で使われている介護用衣服としては、前開きボタン付きの上着とズボンを組み合わせたもの、甚平型上着とズボンを組み合わせたもの、上下一体のつなぎタイプでファスナーで開閉できるようにしたものなどが知られている（特許文献１参照）。しかしながら、この従来の介護用衣服の場合、次のような問題があった。
【０００３】
（１）四肢に麻痺や拘縮のある患者、寝たきりの患者等の場合、着脱が不便である。
（２）寝たきりの患者、睡眠中の患者の場合、オムツ交換が不便であり、患者、介護者ともに大きな負担となっている。
（３）着脱に手間がかかるため、着脱に全介護を必要としない患者には不便であり、患者の快復意欲を損なう。
（４）介護を必要としている患者は身体機能が悪化している場合が多く、通常では骨折することのない着脱時の身体の曲げ伸ばし程度でも骨折する恐れがある。
【０００４】
上記問題を解決するため、上着は両肩開きとしてファスナーで開閉可能とするとともに、ズボンは両脇開きとしてファスナーで開閉可能とした介護用パジャマ、さらには、上着は両肩開きとしてファスナーで開閉可能とするとともに、上着丈を股部を包むように延ばし、後身頃は股をくぐらせてて前身頃の恥骨部上で止めるように構成することにより、上着パンツ一体型とし、ズボンは両脇開きとしてファスナーで開閉可能とした介護用パジャマが提案されている（同じく特許文献１参照）。
【０００５】
【特許文献１】
特開平１０−１２１３０８号公報（全頁、全図）
【０００６】
【考案が解決しようとする課題】
上記特許文献１で提案された介護用パジャマは、着脱時における患者及び介護者の負担を軽減でき、また医療行為時の処理時間の短縮も可能となり、有用なものである。しかしながら、この介護用パジャマにも次のような問題が残されていた。
【０００７】
すなわち、上着は両肩開きとしてファスナーで開閉可能とされているため、胸部から上側を諸肌脱ぎしたり、片肌脱ぎしたりするには適しているが、清拭や処置、診察等の際、寝たままの状態で胸部から下側の腹部全体をはだけて開けようとすると、上着の後面（後身頃）が患者の背中でベッドに挟み付けられ、しかも上着の裾脇には１０ｃｍ程度の切り込みが設けられているだけであるため、上着の裾前をたぐるようにしてまくり上げるしかなく、胸部から下側の腹部全体を簡単にはだけて開けることが難しかった。
【０００８】
また、ズボンは両脇開きとしてファスナーで開閉可能とされているが、ファスナーがズボンの両脇に取り付けられているため、患者が横向きに寝たり、寝返りを打ったりした際に、硬いファスナーが腰骨や太股等に当たり、しかも患者自身の体重で強く押し付けられるため、痛みを伴ったり、床ずれの原因になるおそれがあった。
【０００９】
本考案は、上記のような問題を解決するためになされたもので、横向きに寝たり、寝返りを打ったりした際に、硬いファスナーが腰骨や太股等に当たることがなく、さらに、清拭や処置、診察等の際、胸部から上側の上半身だけでなく、胸部から下側の腹部全体も簡単にはだけて開くことができる介護用衣服を提供することを目的とするものである。
【００１０】
【課題を解決するための手段】
上記目的を達成するため、本考案は次のような手段を採用した。
すなわち、本考案の介護用衣服は、上着とズボンとからなり、ズボンは、ズボン上端部から少なくとも膝付近まで、左右それぞれファスナーにて開閉可能に形成するとともに、該左右のファスナーの取り付け位置を脇からずれた前部中心寄りとしたものである。このような構成とすることにより、患者が横向きに寝たり、寝返りを打ったりしても、硬いファスナーが身体の真下になって腰骨や太股等に当たるようなことがなくなり、痛みや床ずれをなくすことができる。
【００１１】
さらに、上記構成に加え、上着は、首の付け根から肩部を通って少なくとも肘付近まで、左右それぞれファスナーにて開閉可能に形成するとともに、脇下付近から裾下端部まで、両脇ともファスナーにて開閉自在としたものである。このような構成とすることにより、首部のファスナーを開くことによって胸部から上側を簡単に諸肌脱ぎあるいは片肌脱ぎできるとともに、両脇のファスナーを開くことによって上着の前部（前身頃）を持ち上げるだけで簡単に胸部から下側の腹部全体をはだけて開けることができる。
【００１２】
なお、ズボンの臀部内側には、少なくとも防水性に優れた繊維からなるあて布を裏布として取り付けることが好ましい。
【００１３】
【考案の実施の形態】
以下、本考案の実施の形態について図面を参照して説明する。
図１に、本考案に係る介護用衣服の上着の一実施の形態を示す。（ａ）は上着の正面図、（ｂ）は上着の背面図である。
【００１４】
図示例の上着１１は、その全体を抗菌性、防臭性、通気性、耐久性に優れた繊維で構成されており、首の付け根から肩部を通って肘付近まで左右それぞれファスナー１２にて開閉可能とされているとともに、脇下付近から裾下端部まで両脇ともファスナー１３にて開閉自在とされている。また、襟１４は左右のファスナー１２の開き始め位置において前後２つに分割され、前側の襟両端を後側に延ばすことによって重ね布状とされており、この重ね布部分に一対の接着布（いわゆる「マジックテープ」（登録商標））１５ａ，１５ｂを取り付けることにより、ファスナー１２の開閉に合わせて襟１４も自由に開閉できるようにされている。なお、袖口１６にはゴムが通され、袖のめくり上がりを防止している。
【００１５】
上記上着１１は、左右のファスナー１２と左右のマジックテープ１５ａ，１５ｂ、あるいは一方の側のファスナー１２と一方の側のマジックテープ１５ａ，１５ｂを開くことにより、胸から上側の上半身を簡単に諸肌脱ぎあるいは片肌脱ぎとすることができる。また、両脇のファスナー１３を開くことにより、後身頃１７部分が患者の身体とベッドの間に挟まったままの状態でも前身頃１８の全体を持ち上げることができ、胸部から下側の腹部全体を簡単にはだけて開けることができる。このため、患者が寝たままの状態でも腹部全体の清拭や処置、診察等を簡単に行うことができる。
【００１６】
なお、上記の例では、襟１４の分割部を接着布１５ａ，１５ｂによって留めるようにしたが、留め具はこの接着布に限られるものではなく、スナップボタン、ホックなど他の留め具を用いてもよいものである。また、襟１４の形状をスタンドカラーとしたが、襟の形状もこの形状に限られるものではなく、ロールカラー、ショールカラー等、他の形状としてもよいものである。場合によっては襟１４をなくし、丸首やＶネック、エアーカラーとしてもよい。また、ファスナー１２の終端を肘付近としたが、それよりも先まで、例えば袖口付近まで延ばしてもよいものである。ファスナー１２は、袖口１６から肘側に向かって付けてもよい。
【００１７】
図２に、本考案に係る介護用衣服のズボンの一実施の形態を示す。（ａ）はズボンの正面図、（ｂ）はズボンの背面図である。
【００１８】
図示例のズボン２１は、その全体を抗菌性、防臭性、通気性、耐久性に優れた繊維で構成されており、ズボンの上端部から膝付近まで左右それぞれファスナー２２にて開閉可能とされている。そして、本考案の場合、この左右のファスナー２２の取り付け位置が、従来の看護用パジャマ（特許文献１参照）のようにズボンの両脇ではなく、ズボンの前部中心側に寄った位置、すなわち患者が横向きに寝たり、寝返りを打ったりしてもファスナー２２が身体の真下になって腰骨や太股等に当たることのない位置とされている。
【００１９】
また、ファスナー２２の開き始め位置には、一方の側に短冊状をした布片２３が取り付けられており、この布片２３の表面と、反対側のファスナーの開き始め位置裏面に一対の接着布２４ａ，２４ｂが取り付けられており、この接着布２４ａ，２４ｂによってウェスト２５の左右部分を自由に開閉できるように構成されている。さらに、臀部内側には、防水性、防臭性、抗菌性、耐久性に優れた繊維からなるあて布２６が裏布として取り付けられている。
【００２０】
ウェスト２５には腰ゴム２７が通され、ベルトなしでズボンをはけるようにしてある。図示例ではズボンの裾は解放とされているが、ズボンの裾にゴムを入れてもよい。裾にゴムを入れると、裾のめくり上がりを防止できるとともに、より保温性に優れたものとなる。
【００２１】
上記ズボン２１は、ウェスト左右の接着布２４ａ，２４ｂとファスナー２２を開くことにより、ズボンの前側を膝の付近まで開けることができ、治療やオムツ代え等の介護処置を簡単に行うことができる。また、ウェスト左右のファスナー２２の取り付け位置がズボンの前部中心側に寄った位置とされているため、患者が横向きに寝たり、寝返りを打ったりしても、硬いファスナー２２が身体の真下になって腰骨や太股等に当たるようなことがなくなり、従来問題になっていた痛みや床ずれ等をなくすことができる。さらに、臀部内側には、防水性、防臭性、抗菌性、耐久性に優れた繊維からなるあて布２６が取り付けられているので、小水や汚物の漏れ等でベッドが濡れたり、汚れたりすることを防ぐことができる。
【００２２】
なお、上記の例ではファスナー２２の開き始め部分を接着布２４ａ，２４ｂによって留めるようにしたが、留め具はこの接着布に限られるものではなく、スナップボタン、ホック等、他の留め具を用いてもよいものである。また、ファスナー２２の終端を膝付近としたが、それよりも下側としてもよい。さらに、場合によってはファスナー２２の終端をズボンの裾先まで延ばし、ズボン２１を前部分と後部分の２つに分離して外せるようにしてもよいものである。ファスナー２２は、ズボンの裾側から膝側に向けて取り付けてもよい。
【００２３】
【考案の効果】
以上説明したように、本考案の介護用衣服は、ズボンの上端部から少なくとも膝付近まで、左右それぞれファスナーにて開閉可能とするとともに、該ファスナーの取り付け位置を脇からずれた前部中心寄りとしたので、患者が横向きに寝たり、寝返りを打ったりしても、硬いファスナーが身体の真下になって腰骨や太股等に当たるようなことがなくなり、痛みや床ずれをなくすことができ、介護等に用いて極めて有用である。
【００２４】
さらに、上着の首の付け根から肩部を通って少なくとも肘付近まで、左右それぞれファスナーにて開閉可能に形成するとともに、脇下付近から裾下端部まで、両脇ともファスナーにて開閉自在としたので、胸から上側の上半身だけでなく、胸から下側の腹部全体も簡単にはだけて開けることができ、介護等に用いて極めて有用である。
【００２５】
また、ズボンの臀部内側に、少なくとも防水性に優れた繊維からなるあて布を裏布として取り付けたので、小水や汚物の漏れ等でベッドが濡れたり、汚れたりすることを防ぐことができる。
【図面の簡単な説明】
【図１】本考案に係る介護用衣服の上着の実施の形態を示すもので、（ａ）はその正面図、（ｂ）はその背面図である。
【図２】本考案に係る介護用衣服のズボンの実施の形態を示すもので、（ａ）はその正面図、（ｂ）はその背面図である。
【符号の説明】
１１　　上着
１２　　ファスナー
１３　　ファスナー
１４　　襟
１５ａ，１５ｂ　　接着布
１６　　袖口
１７　　後身頃
１８　　前身頃
２１　　ズボン
２２　　ファスナー
２３　　布片
２４ａ，２４ｂ　　接着布
２５　　ウェスト
２６　　あて布
２７　　腰ゴム
【手続補正書】
【提出日】平成15年4月30日(2003.4.30)
【手続補正１】
【補正対象書類名】図面
【補正対象項目名】図１
【補正方法】変更
【補正の内容】
【図１】
0003096904.tif 000005